(57)【要約】【課題】  既存の遊技台にテレビ体をセットすることが可能な遊技台用テレビ体を提供する。【解決手段】  遊技台用テレビ体１０は、複数台の遊技台１０を連続配置した状態において、遊技台１０と遊技台附属設備１３間に形成されている微少隙間１２に差込状に設置可能なプレート状の取付ブラケット２２を備え、この取付ブラケット２２に揺動自在に取り付けたパネル状のテレビ体２４を取付け、取付ブラケット２２に電源などをテレビ体２４に接続するためのテープ状のフラットケーブル２６を貼設したものである。【選択図】      図２
0003106597.tif 000002
【実用新案登録請求の範囲】
【請求項１】
複数台の遊技台を連続配置した状態において、遊技台と遊技台附属設備間に形成されている微少隙間に差込状に設置可能なプレート状の取付ブラケットを備え、  この取付ブラケットに揺動自在にパネル状のテレビ体を取り付け、前記取付ブラケットに電源などを前記テレビ体に接続するためのテープ状のフラットケーブルを貼設したことを特徴とする遊技台用テレビ体。
【考案の詳細な説明】
【技術分野】
【０００１】
本考案は、パチンコ台などの遊技台と遊技台附属設備（通常、遊技台の左横に設置され、「サンド」又は「ユニット」などと称される玉貸し機のことを指す）間に取り付ける遊技台用テレビ体に係り、さらに詳しくは、遊技台と遊技台附属設備間の隙間を利用して、遊技台附属設備の側面にテレビ体の取付ブラケットを取り付けることで既存の遊技台とセットとなる遊技台用テレビ体に関する。
【背景技術】
【０００２】
近年、遊技台を操作しながらテレビでニュースやスポーツを観賞することができるように、遊技台の上部にテレビ体を備えたものが知られるようになった（例えば、特許文献１参照。）。
【特許文献１】特開平８−１３１６４８号公報
【０００３】
この特許文献１の遊技台用テレビ体は、遊技台の上部にテレビ体を備えているので、テレビ体の画面は、遊技台の利用者の目線より上方に位置するため、テレビ体の画面を観賞する場合には顔を上方に向ける必要があり、首が疲れるという問題点があった。
また、顔を上方に向ける必要があるため、テレビ体の画面を観賞しながら、遊技台の状況を確認することが難しくなるという問題点があった。
【０００４】
さらに遊技台にテレビ体をセットするには、各遊技台専用のテレビ体しかセットできないが、特に遊技台に後付でテレビ体をセットする場合には、遊技台とテレビ体とを全部まとめて入れ替える必要があり、このことがテレビ体導入の設備費を上昇させるという問題点となっていた。
【０００５】
この問題点を解消するために、遊技台にテレビ体を備えるためには、遊技台と遊技台附属設備間にスペースを確保し、このスペースにベースを固定し、このベースにテレビ体を取り付けるものも知られている。
【０００６】
これによれば、遊技台と遊技台附属設備間に配置したベースにテレビ体を取り付けているので、テレビ体を遊技台の利用者の目線の高さに合わせることができるようになる。
このため、顔を上方に向けずにテレビ体の画面を観賞できるので、テレビ体の画面を観賞しながら、遊技台の状況を確認できるという利点があり、さらに首の疲れも生じないものとなる。
【考案の開示】
【考案が解決しようとする課題】
【０００７】
しかしながら、上記のテレビ体は、テレビ体をベースで支えるため、ベースの強度を確保する必要があるので、ベースはどうしても大型（厚さ寸法があり、面積も大きい）になってしまうという欠点があった。
このように遊技台と遊技台附属設備間にベースを収納する方式の場合には、遊技台と遊技台附属設備間に比較的大きなスペースを確保しなければならないものであった。
【０００８】
このため、新たな遊技台に交換して、遊技台と遊技台附属設備間にスペースを確保したり、既存の遊技台の配列を変えて特別にスペースを確保したりする必要があり、そのような設計変更は大変コストのかかることなので、既存の遊技台にテレビを簡単に取り付けることができる技術の実用化が望まれていた。
【０００９】
この考案は、既存の遊技台附属設備にテレビ体を簡単に取り付けられる遊技台用テレビ体を提供して、上述した全ての問題点を解消しようとするものである。
【課題を解決するための手段】
【００１０】
上記目的を達成するために、請求項１記載の考案は、複数台の遊技台を連続配置した状態において、遊技台と遊技台附属設備間に形成されている微少隙間に差込状に設置可能なプレート状の取付ブラケットを備え、  この取付ブラケットに揺動自在にパネル状のテレビ体を取り付け、前記取付ブラケットに電源などを前記テレビ体に接続するためのテープ状のフラットケーブルを貼設したことを特徴とする。
【００１１】
テレビ体にプレート状の取付ブラケットを備え、この取付ブラケットを遊技台と遊技台附属設備間に形成されている微少隙間に差込状に設置可能に構成したので、取付ブラケットを微少隙間に差し込み、差し込んだ取付ブラケットを遊技台附属設備の側壁に取り付けることで、テレビ体を簡単に遊技台附属設備に取り付けることが可能となった。
【考案の効果】
【００１２】
また、遊技台と遊技台附属設備間に形成されている微少隙間を利用して、テレビ体を遊技台附属設備の側壁に取り付けるので、各店舗に設置済みの遊技台に、後付で簡単にテレビ体をセットすることが可能になり、後付によるテレビ体の取り付けの設置コストを低減できるという利点がある。
【考案を実施するための最良の形態】
【００１３】
以下添付図面に基づいて、本考案に係る遊技台用テレビ体の一実施の形態を詳説する。
図１は本考案に係る遊技台用テレビ体をセットできる遊技台を示す正面図、図２は同斜視図、図３は本考案に係る遊技台用テレビ体を遊技台と遊技台附属設備間の微少隙間にセットした例を示す斜視図である。
【００１４】
図１に示すように、複数台の遊技台１０を連続配置した状態において、遊技台１０の左隣には遊技台附属設備（貸し玉機）１３が設置され、その遊技台附属設備１３と、その左隣に位置する他の遊技台１０との間には微少隙間１２が形成されている。
その微少隙間１２の幅寸法ｔ１は、約２〜３ｍｍである。
【００１５】
図２に示すように、遊技台用テレビ体２０にはプレート状の取付ブラケット２２が設けられており、そのブラケット２２は、複数台の遊技台１０（図１参照）を連続配置した状態において、左隣に位置する遊技台１０と遊技台附属設備１３間に形成されている微少隙間１２に差込設置可能なものであり、この取付ブラケット２２には揺動自在にパネル状のテレビ体２４が取り付けられ、この取付ブラケット２２には電源（図示しない）などをテレビ体２４に接続するためのテープ状のフラットケーブル２６が貼設されている。
【００１６】
取付ブラケット２２は、略矩形状に形成され、その中央部に一辺から他辺まで長手方向に延びるようにテープ状のフラットケーブル２６が貼設されている。この取付ブラケット２２は、取り付けビス（図示しない）などを介して遊技台附属設備１３の側壁などに取り付けられる。
【００１７】
テープ状のフラットケーブル２６の先端部（図示せず）を、取付ブラケット２２の一辺２２ａ側からテレビ体２４の所定の端子に接続し、一方、テープ状のフラットケーブル２６の基端部２６ａ側を、取付ブラケット２２の他辺２２ｂ側から露出させ、図示しない電源や制御部などに接続する。
【００１８】
この取付ブラケット２２は、その上辺２２ｃ近傍に、一対の係止爪３２が所定間隔を存して形成されており、その下辺２２ｄ近傍には２個の取付孔３３が形成されている。
【００１９】
取付ブラケット２２は、その板厚ｔ２を微少隙間１２の幅寸法ｔ１（図１参照）よりも僅かに小さく設定されているため、図３に示すように、微少隙間１２に取付ブラケット２２を差し込むことが可能になる。
【００２０】
微少隙間１２に取付ブラケット２２を差し込んだ状態で、一対の係止爪３２（図２参照）をそれぞれ係止部（図示しない）に係止し、取付孔３３（図２参照）にビスを差し込み、差し込んだビスを遊技台附属設備１３の側壁にネジ結合する。
一対の係止爪３２が係止する相手側の係止部は、遊技台附属設備１３に設けられている。
【００２１】
図２に示すテレビ体２４は、略矩形状に形成した薄型のテレビであり、その端部２４ａが取付ブラケット２２の一辺２２ａにヒンジ部３４で揺動可能に取り付けられている。
【００２２】
取付ブラケット２２に対するテレビ体２４の揺動可能となる揺動角度θは、一例として０〜４５度に設定されている。すなわち、テレビ体２４の揺動角度θが４５度を超えると、隣の遊技台１０の邪魔になるためである。
一方、揺動角度θが４５度を超えると、遊技台１０の使用者からテレビ体２４の画面３５が観賞し難くなるからである。
【００２３】
テレビ体２４は、その中央に表示部２４ｂが備えられ、その下部２４ｃにスイッチ類を備えている。ここでスイッチ類の例としては、データスイッチ３７、データセレクトスイッチ３８、チャンネル選択スイッチ（＋／−）３９、音量調整スイッチ（＋／−）４０などである。
ここで、このテレビ体２４は、データスイッチ３７やデータセレクトスイッチ３８を操作することで、遊技台１０の出玉情報や、イベント情報を表示することが可能となる。
【００２４】
本考案の遊技台用テレビ体２０によれば、テレビ体２４にプレート状の取付ブラケット２２を設け、この取付ブラケット２２を遊技台と遊技台附属設備間に形成された微少隙間１２に差込状に設置可能に構成されている。
これにより、取付ブラケット２２を微少隙間１２に差し込み、差し込んだ取付ブラケット２２を遊技台附属設備１３の側壁に取り付けることで、テレビ体２４をブラケット２２で確実に支えることが可能となる。
【００２５】
つぎに、前記の微少隙間１２を利用して、テレビ体２４を遊技台附属設備１３の側壁に取り付けることができるようにしたので、既存の遊技台１０にテレビ体２４を簡単にセットできるようになり、比較的低コストでテレビ体２４を取り付けることができるという効果が達成された。
【００２６】
なお、前記実施の形態では、取付ブラケット２２を略矩形状に形成した例について説明したが、この取付ブラケット２２の形状は、これに限定されるものではない。
【図面の簡単な説明】
【００２７】
【図１】本考案に係る遊技台用テレビ体をセットできる遊技台を示す正面図である。
【図２】同斜視図である。
【図３】本考案に係る遊技台用テレビ体を遊技台と遊技台附属設備間の微少隙間にセットした例を示す斜視図である。
【符号の説明】
【００２８】
１０…遊技台
１２…微少隙間
１３…遊技台附属設備
２０…遊技台用テレビ体
２２…取付ブラケット
２４…テレビ体
２６…テープ状のフラットケーブル
【図１】
0003106597.tif 000003
【図２】
0003106597.tif 000004
【図３】
0003106597.tif 000005